(57)【要約】      （修正有）【課題】受信可能な各サービスに関する情報を含むサービスリストを作成し、各サービスに対応づけて番組名を登録可能である放送受信装置を提供する。【解決手段】サービスリストにおいて各サービスと各サービスに対応する番組名を登録しておく。選局時のサービスリスト表示時において、各サービスに対して対応する番組名を表示することで、ユーザは該番組名から視聴したいサービスの系列サービスであるかどうかを判断し選局する。【選択図】図６
2006304134.tif 000002
【特許請求の範囲】
【請求項１】
放送サービスを受信する放送受信部と、受信可能な各サービスに関する情報を含むサービスリストを記憶するサービスリスト記憶部と、視聴するサービスの映像や視聴するサービスを選局するための情報であるサービスリストを表示可能な表示部と、複数の操作キーで構成されたキー入力部を有し、
各サービスに対応づけて番組名を登録可能である放送受信装置。
【請求項２】
上記番組名を受信される放送信号から獲得することが可能であるを特徴とする請求項１に記載の放送受信装置。
【請求項３】
通信ネットワークに接続可能で、上記番組名を該通信ネットワークを介して獲得することが可能であることを特徴とする請求項１及び２に記載の放送受信装置。
【請求項４】
放送サービスを視聴中に、視聴番組の番組名を表示し、視聴番組の番組名を該視聴中のサービスと対応付けて該サービスリストに登録可能であることを特徴とする請求項１乃至３に記載の放送受信装置。
【請求項５】
放送サービスの視聴中に、視聴番組の番組名を自動的に所定時間表示することを特徴とする請求項４に記載の放送受信装置。
【請求項６】
放送サービスを視聴中に、上記キー入力部を操作することにより視聴番組の番組名を表示することを特徴とする請求項４に記載の放送受信装置。
【請求項７】
放送サービスを視聴中に、上記キー入力部を操作することにより視聴番組の番組名を所定期間表示することを特徴とする請求項４に記載の放送受信装置。
【請求項８】
番組名の表示中に、上記キー入力部を操作することにより視聴番組の番組名を該視聴中のサービスと対応付けて該サービスリストに登録することを特徴とする請求項５乃至７に記載の放送受信装置。
【請求項９】
番組名の表示中に、自動的に視聴番組の番組名を該視聴中のサービスと対応付けて該サービスリストに登録可能であることを特徴とする請求項６及び７に記載の放送受信装置。
【請求項１０】
番組名がポップアップ表示されることを特徴とする請求項４乃至８に記載の放送受信装置。
【請求項１１】
上記表示部に上記サービスリスト記憶部に記憶されたサービスリストに基づいて受信可能なサービスを表示し、上記キ入力部を操作することで視聴するサービスを選局可能であることを特徴とする請求項１乃至１０に記載の放送受信装置。
【請求項１２】
上記受信可能なサービスの表示の際に、サービス名を表示し、サービスリストにおいて番組名が登録されているサービスに対しては該登録されている番組名を表示可能であることを特徴とする請求項１１に記載の放送受信装置。
【請求項１３】
上記キー入力部を操作することで番組名をポップアップ表示可能であることを特徴とする請求項１２に記載の放送受信装置。
【請求項１４】
上記サービス名の代わりに番組名を表示可能であることを特徴とする請求項１２に記載の放送受信装置。
【発明の詳細な説明】
【技術分野】
【０００１】
本発明は、放送受信装置、特にデジタルテレビ放送受信装置のサービスリスト作成に関する。
【背景技術】
【０００２】
従来のデジタルテレビ放送受信装置において、チャンネルリストを作成する場合、サービスＩＤに付属する情報として、ＴＳ（トランスポートストリーム）名、リモコンキーＩＤ、３桁番号などを登録していた。ＴＳ名は、例えば「ＮＨＫ東京・総合」、「日本テレビ」など一般に認知されている名前が登録されているので、その地域に居住し、いつもその放送局の番組を視聴しているユーザにとっては容易に判断でき、容易に選局することができる。
【０００３】
また、特開平１１−３４１３８３号公報に記載のように、各時間帯の番組選択画面として、チャンネル番号と番組名を表示し選択できるようにすることもできる。
【特許文献１】特開平１１−３４１３８３
【発明の開示】
【発明が解決しようとする課題】
【０００４】
移動しながらテレビ放送を受信する場合、ユーザは普段居住していない地域でチャンネルリストを作成し放送を受信する場合が多々発生する。その場合、移動先の地域で受信できる放送局で、どの放送局が、普段自分が視聴している放送局と同じ系列であるかどうかを判断する手段がない。従って、いつも見ている番組を視聴するためには、テレビの番組表を確かめ、その地域で該当する放送局を確認した後選局を行う必要がある。
【０００５】
このように、従来の受信機では、普段居住していない地域で番組を視聴するとき、放送局の系列がわからないため、視聴したい番組を選局するのに労を要するという問題があった。
【課題を解決するための手段】
【０００６】
本願発明は、上記問題に鑑みなされたものであり、放送サービスを受信する放送受信部と、受信可能な各サービスに関する情報を含むサービスリストを記憶するサービスリスト記憶部と、視聴するサービスの映像や視聴するサービスを選局するための情報であるサービスリストを表示可能な表示部と、複数の操作キーで構成されたキー入力部を有し、各サービスに対応づけて番組名を登録可能である放送受信装置である。
【０００７】
また、上記番組名を受信される放送信号から獲得することが可能であるを特徴とする。
【０００８】
また、通信ネットワークに接続可能で、上記番組名を該通信ネットワークを介して獲得することが可能であることを特徴とする。
【０００９】
さらに、放送サービスを視聴中に、視聴番組の番組名を表示し、視聴番組の番組名を該視聴中のサービスと対応付けて該サービスリストに登録可能であることを特徴とする。
【００１０】
また、放送サービスの視聴中に、視聴番組の番組名を自動的に所定時間表示するようにしても構わない。
【００１１】
また、放送サービスを視聴中に、上記キー入力部を操作することにより視聴番組の番組名を表示するように構成しても構わない。
【００１２】
また、放送サービスを視聴中に、上記キー入力部を操作することにより視聴番組の番組名を所定期間表示するように構成しても構わない。
【００１３】
さらに、番組名の表示中に、上記キー入力部を操作することにより視聴番組の番組名を該視聴中のサービスと対応付けて該サービスリストに登録することを特徴とする。
【００１４】
或いは、番組名の表示中に、自動的に視聴番組の番組名を該視聴中のサービスと対応付けて該サービスリストに登録可能であることを特徴とする。
【００１５】
また、上記視聴中の番組名がポップアップ表示されるように構成するのが望ましい。
【００１６】
さらに、上記表示部に上記サービスリスト記憶部に記憶されたサービスリストに基づいて受信可能なサービスを表示し、上記キー入力部を操作することで視聴するサービスを選局可能であることを特徴とする。
【００１７】
また、上記受信可能なサービスの表示の際に、サービス名を表示し、サービスリストにおいて番組名が登録されているサービスに対しては該登録されている番組名を表示可能であることを特徴とする。
【００１８】
さらに、上記キー入力部を操作することで番組名をポップアップ表示可能であることが望ましい。
【００１９】
或いは、上記サービス名の代わりに番組名を表示可能であるように構成しても構わない。
【発明の効果】
【００２０】
本願発明によれば、代表的な番組名から放送局を選択できるので、普段居住していない地域でも簡単に系列を選択して選局することができ、視聴したい番組をすばやく選択することができる。
【発明を実施するための最良の形態】
【００２１】
本発明によるデジタルテレビ放送受信装置の実施形態について、以下に図を参照しながら説明を行う。
【００２２】
図１に、本発明によるデジタルテレビ受信装置の実施形態としての携帯型デジタルテレビ放送受信器（１）についての機能構成図を示す。図１に示すように、本発明のデジタル放送受信装置は、デジタルテレビ放送の電波を受信するアンテナ（１０１）、アンテナ（１０１）で受信されたテレビ放送電波から所望のチャンネルを選局し受信を実行するチューナ（１０２）、デジタルテレビの受信信号を処理する装置であって、チューナ（１０２）から出力されるＴＳ（トランスポート・ストリーム）を読み込んで、映像や音声、チャンネル情報や番組情報などを記述したＰＳＩ／ＳＩ、データなどに分離し、映像や音声の再生、データ放送の表示などを行うための信号処理を行う信号処理装置（１０３）、音声を出力するスピーカ（１０４）、映像やデータ放送、またチャンネル情報や番組情報を表示する表示装置（１０６）、複数の操作キーで構成されたキー入力装置（１０７）、各種の機能に対する動作プログラムやデータを保存するＲＡＭ（１０８）とＮＶＲＡＭ（１０９）、充電可能な電池（１１０）、充電制御を行う充電制御装置（１１１）、ＡＣアダプタ（１１２）、デジタル放送受信装置（１）全体を制御する制御装置（１０５）で構成されている。
【００２３】
図２は、表示装置（１０６）にて表示される画面の表示構成を表している。１０６１はピクトエリアであって、時刻やアンテナ受信感度などの本デジタルテレビ放送受信装置（１）の状態を表示する領域である。また、本実施形態の携帯型テレビ放送受信装置が携帯電話機能を有する場合は、メール着信や着呼などがあったときもこのエリアにアイコンが表示されるようにすることもできる。
【００２４】
１０６２は、信号処理装置（１０３）から出力されたテレビ映像やデータ放送データなどの映像データを表示する領域である。また、各種の機能設定などの何らかの操作を行う場合の操作画面をも表示する。さらに、本実施形態の携帯型テレビ放送受信装置が携帯電話機能を有する場合は、メール作成やメール表示のための画面としても使用される。
【００２５】
１０６３は、装置（１）の状態などのステータスを表示する領域であり、例えば、図３の１０７１、１０７２、１０７３に示されるソフトキーの機能を表示する。
【００２６】
次に図３は、キー入力装置（１０７）におけるキー配置の構成例を表した図である。１０７１、１０７２、１０７３はソフトキーであって、処理の過程でその機能を変更することができるキーである。
【００２７】
そして、１０７４は、カーソルの移動などに用いる十字キーであり、中央を押下したときは機能を決定するＯＫキーとなる。１０７５は、特定の機能が割り当てられたファンクションキーであり、１０７６は数字キーであり、数字や記号を入力するキー郡である。
【００２８】
図４は、ＮＶＲＡＭ（１０９）に格納されるサービスリストの構造を表している。本実施形態では、サービスリストは最大６種類持つことができるものとする。本実施形態では、そのそれぞれが、サービスリストＡ，Ｂ・・・Ｆと表されている。それぞれのサービスリストには、リスト名として固有の名称を付与することができる。本実施形態では、初期値は全て「設定エリア」という名称になり、その後ユーザーの操作で任意の文字列に修正することができる。その修正方法は如何なる方法であっても構わない。例えば、次に説明するサービスリストの表示画面において、リスト名を変更するサービスにカーソルを移動し、例えば十字キーの左を押下すると、リスト名変更画面になり、数字キーを使って文字入力することにより変更することができる。しかし、本発明は、この方法に限定されるものではない。
【００２９】
図５は、サービスリストの表示画面例であって、1番目のサービスリスト（図４のサービスリストＡ）の名称が「大阪」、６番目のサービスリスト（図４のサービスリストＦ）の名称が「お好み」に変更されている。
【００３０】
それぞれのサービスリストは、最大１２個のサービスが登録できるようになっている。サービスリストに登録される情報は、図４の２０３に示す通り、物理ＣＨ番号、サービスＩＤ、ＴＳ名、リモコンＩＤ、番組名などである。
【００３１】
図６は、リスト名「大阪」のサービスリスト一覧の表示例である。図６では、カーソルは３番目のサービス４０１にあり、そのサービスに登録されている番組名が４０２に表示されている。
【００３２】
図７は、番組を視聴しているときの表示装置（１０６）への画面表示例であり、番組名がポップアップウインドウ（５０１）に表示されている。図８は、番組名をサービスリストに登録するか否かをユーザーに問い合わせている画面である。図８では、「Ｙｅｓ」にカーソルがあるが、この状態でＯＫキー（１０７４）を押下すると番組名がサービスリストに登録される。
【００３３】
次に本発明のデジタルテレビ放送受信装置（１）が、サービスリストに番組名を登録する処理と、登録されている番組名を参照して選局する方法を図９から図１４を用いて説明する。
【００３４】
図９から図１４は、本実施形態の携帯型テレビ放送受信装置（１）における処理のうち、サービスリストに番組名を登録する手段と、視聴中の選局動作処理のステップを表している。電源をオンにすると、まずは初期処理（Ｓ１００）が実行される。初期処理では、作業メモリのクリア、各タイマの初期化などがある。初期化が終了したら、メニューを表示する（Ｓ１０１）。表示されたメニューから所望のメニューを選択する（Ｓ１０２）。選択されたメニューがテレビ視聴以外であれば（Ｓ１０３でＮｏ）、選択された機能を実行し（Ｓ１０４）、選択された機能の実行が終了したら再びＳ１０１に戻ってメニューを表示する。
【００３５】
選択された機能がテレビ視聴であれば（Ｓ１０３でＹｅｓ）、チューナ（１０２）の電源をオンにし（Ｓ１０５）、ラストチャンネル情報を取得する（Ｓ１０６）。ラストチャンネル情報とは、直前に選局されたチャンネル（サービス）の情報であり、ＮＶＲＡＭ（１０９）に保持されている。ラストチャンネルに関する情報の有無を調べ、ラストチャンネル情報がＮＶＲＡＭ（１０９）に保持されていなければ（Ｓ１０７でＮｏ）、サービスリストの最初のチャンネル（サービス）情報を取得する（Ｓ１０８）。ここで、最初のチャンネル（サービス）情報とは、図４における例えばサービス１として記憶されているチャンネル（サービス）情報のことである。しかし、本発明では、最初のチャンネル（サービス）情報に限定はされない。サービスリストに登録されているチャンネル（サービス）情報の内の任意の1つのチャンネル（サービス）が取得できればよい。
【００３６】
しかし、サービスリストがＲＡＭ（１０８）またはＮＶＲＡＭ（１０９）に保持されていない場合は（Ｓ１０９でＮｏ）、チャンネルスキャンを行ってサービスリストを作成し（Ｓ１１０）、再びＳ１０８に戻る。ここで、サービスリストとは、図４に示すような受信可能な放送チャンネルに関する情報のリストである。
【００３７】
次に、ラストチャンネル情報が取得できたか（Ｓ１０７でＹｅｓ）、サービスリストの最初のチャンネル（サービス）の情報が取得できれば（Ｓ１０９でＹｅｓ）、その取得されたチャンネル（サービス）情報に基づいてチューナ（１０２）に選局を行なわせる（S１２０）。しかし、取得できたチャンネル（サービス）情報が、その時点で放送エリア外であるなどの理由で受信できないチャンネル（サービス）である場合などがありえる。このように放送エリア外であったり、電波状況が良くないなどの理由で選局が失敗したと判断した場合（Ｓ１２１でＮｏ）、その旨エラー表示を行う（Ｓ１２２）。
【００３８】
ここで、ダイレクトチャンネル選局を行うかどうかを上記エラー表示において選択できるようにする。例えば、エラー表示において「ダイレクト選局するか」等の表示を行い、ソフトキー（１０７１）（１０７２）で選択する（ソフトキーに「ＹＥＳ」と「ＮＯ」が配置される）。ここで、ダイレクト選局を選択すると、地上波デジタルテレビ放送であれば、各放送サービスを指定できる３桁のチャンネル番号を数字キー（１０７６）を使用して入力でき（Ｓ１２３でＹｅｓ）、Ｓ１２０に戻る。
【００３９】
一方、ダイレクト選局を選択しなければ（Ｓ１２３でＮｏ）、表示装置（１０６）にチャンネルスキャンの選択画面が表示される。具体的には、「チャンネルスキャンしますか」等の表示が行われ、ソフトキー（１０７１）（１０７２）で選択する（ソフトキーに「ＹＥＳ」と「ＮＯ」が配置される）。チャンネルスキャンを選択すると（Ｓ１２４でＹｅｓ）、Ｓ１１０に戻り、チャンネルスキャンを選択しなければ（Ｓ１２４でＮｏ）、Ｓ１０１に戻りメニューを表示する。
【００４０】
一方、選局が成功したと判断できれば（Ｓ１２１でＹｅｓ）、選局したチャンネル（サービス）情報をラストチャンネルとしてＮＶＲＡＭ（１０９）に記憶する（Ｓ１２５）。続いて、選局されたチャンネル（サービス）のテレビ映像を表示装置（１０６）に、図７の如く表示する（Ｓ１２６）。
【００４１】
ここで、キー入力待ち状態となる（S１２７）。ここで、何らかのキー入力装置（１０７）の操作がなされた場合、それがメニューキーでないならば（Ｓ１２８でＮｏ）、キー入力装置（１０７）により選択された機能を実行する（Ｓ１２９）。選択された機能の実行が終了するとS１２７に戻って、再びキー入力待ち状態となる。ここで、メニューキー以外の操作としては、例えば音量の増減、ＢＭＬブラウザの処理などがある。
【００４２】
一方、操作されたキーがメニューキーであるならば（Ｓ１２８でＹｅｓ）、メニュー画面を表示装置（１０６）の１０６２の表示領域に表示される（Ｓ１３０）。ここで、メニューキーは、キー入力装置（１０７）において、ファンクションキー（１０７５）に配置されているものとするが、本発明はこれに限定されるものではない。
【００４３】
次に、キー入力装置（１０７）を用いて、表示されたメニューから1つの機能を選択する（Ｓ１３１）。選択された機能が、番組名表示であれば（Ｓ１３２でＹｅｓ）、視聴中の番組の番組名を図７の如くポップアップウインドウにて表示する（Ｓ１４０）。ここで、この番組名は、放送波から獲得される番組情報（ＥＩＴ）から取得しても構わないし、或いは事前にインターネット上のサーバからダウンロードした番組情報に基づいたものであっても構わない。
【００４４】
さらに、キー入力装置（１０７）を操作して、サービスリストへの登録が選択された場合（Ｓ１４１でＹｅｓ）、図８に示す如くサービスリストへの登録確認を行う（Ｓ１４２）。ここで、サービスリストへの登録を選択する方法としては、本実施例では、ファンクションキー（１０７５）に該選択キーを配置するものとするが、必ずしもこれに限定される必要はない。例えば、ソフトキー（１０７１）（１０７２）（１０７３）のいずれかに配置するようにしても構わないし、図７の表示状態からメニューキーを操作することで、Ｍニューを表示させ、メニュー内にサービスリストへの登録を選択するアイテムを配置しても構わない。
【００４５】
次に、サービスリストへの登録可とされれば（Ｓ１４３でＹｅｓ）、具体的には図８の表示状態において、十字キー（１０７４）を用いてＹｅｓを選択した場合、図４に示すようなサービスリストにおいて、視聴しているサービスに対してポップアップ表示されている番組名を登録する（Ｓ１４４）。
【００４６】
このように、サービスリストへの番組名の登録が完了すると、表示装置（１０６）において、番組名のポップアップウインドウを消去する（Ｓ１４５）。
【００４７】
また、番組名表示状態（図７）でサービスリストへの登録が選択されずに所定の時間（本実施形態では1分間とする）が経過してもサービスリストへの登録が選択されない場合も、番組名のポップアップウインドウを消去する（Ｓ１４５）。すなわち、番組名表示状態（Ｓ１４０）で、サービスリストへの登録が選択されなければ、第１タイマをスタートさせて第１所定時間を計時する（Ｓ１４７）。ここで、第一所定時間とは１分間とするが、この時間はこれに限定されるものではなく、ユーザがキー入力装置（１０７）を操作して設定変更できるようにしても構わない。第１タイマが第１所定時間の計時を終了するまでは（Ｓ１４８でＮｏ）、番組名をポップアップ表示し続け、第１所定時間が経過すると、表示装置（１０６）において、番組名のポップアップウインドウを消去する（Ｓ１４５）。
【００４８】
具体的には、番組名表示状態になると（S１４０）、サービスリストへの登録が選択されるまで（Ｓ１４１でＮｏ）、第1タイマが動作中でなければ（S１４６でＮｏ）、第１タイマをスタートさせ（Ｓ１４７）、第１タイマが動作中（Ｓ１４６でＹｅｓ）またはスタートすると、第１所定時間が経過するまでは（Ｓ１４８でＮｏ）Ｓ１４１からＳ１４７までを繰り返し、第１所定期間が経過すると（Ｓ１４８でＹｅｓ）、表示装置（１０６）において、番組名のポップアップウインドウを消去する（Ｓ１４５）。
【００４９】
また、サービスリストへの登録確認において、サービスリストへの登録をしないとされれば（Ｓ１４３でＮｏ）、具体的には図８の表示状態において、十字キー（１０７４）を用いてＮｏを選択した場合も、表示装置（１０６）において、番組名のポップアップウインドウを消去する（Ｓ１４５）。
【００５０】
ここで、第１タイマは、本実施例においては、制御装置（１０５）内にもうけられたカウンタとするが、これに限定されるものではなく、如何なる形態のタイマであっても構わない。
【００５１】
一方、メニュー選択において（Ｓ１３１）、選択された機能が、番組名表示でない場合（Ｓ１３２でＮｏ）、該選択された機能が選局でないならば（Ｓ１５０でＮｏ）、選択された機能の処理を行い（Ｓ１５１）、Ｓ１０１に戻りメニューを表示する。
【００５２】
しかし、選択された機能が、選局であるならば（Ｓ１５０でＹｅｓ）、現在有効なサービスリストを表示し（Ｓ１５２）、現在視聴中のサービスにカーソルを表示する（Ｓ１５３）。そして、そのサービスに登録された番組名があれば、その番組名を図６の如くポップアップウインドウに表示し（Ｓ１５４）、キー入力待ち状態になる（Ｓ１５５）。
【００５３】
入力されたキーが、カーソル移動キーである十字キー（１０７４）である場合（Ｓ１５５でカーソル移動キー）、操作されたキーが上方向キーであれば（Ｓ１６０でＹｅｓ）、カーソルを1つ上に移動させて表示する（Ｓ１６１）。しかしながら、既にカーソルキーが一番上にあった場合は、カーソルを一番下の位置に移動させて表示する（Ｓ１６２）。
【００５４】
一方、入力されたキーが、カーソル移動キーである十字キー（１０７４）である場合（Ｓ１５５でカーソル移動キー）、操作されたキーが上方向キーでなく（Ｓ１６０でＮｏ）、下方向キーであると（Ｓ１６３でＹｅｓ）、カーソルを1つ下に移動させて表示する（Ｓ１６４）。しかしながら、既にカーソルキーが一番下にあった場合は、カーソルを一番上の位置に移動させて表示する（Ｓ１６５）。
【００５５】
次に、サービスリスト上のカーソルが移動したポジションに対応するサービスが登録されていない場合は（Ｓ１６６においてＮｏ）、Ｓ１５５に戻りキー入力を待つ。他方、サービスリスト上のカーソルが移動したポジションに対応するサービスが登録されている場合は（Ｓ１６６においてＹｅｓ）、Ｓ１５４に戻り、図４に示すようなサービスリストにおいて、そのサービスに対して登録されている番組名を図６の如くポップアップウインドウで表示する。
【００５６】
或いは、入力されたキーが、カーソル移動キーである十字キー（１０７４）である（Ｓ１５５でカーソル移動キー）が、操作されたキーが上方向キーでも下方向キーでもない場合は（Ｓ１６０でＮｏ、Ｓ１６３でＮｏ）、この入力を無視し、Ｓ１５５に戻って再びキー入力を待つ。
【００５７】
一方、入力されたキーが、クリアキーである場合（Ｓ１５５でクリアキー）、メニュー画面を消してテレビ視聴画面に戻り（Ｓ１７０）、Ｓ１２７に戻って、キー入力を待つ。ここで、クリアキーは、ファンクションキー（１０７５）に配置されるものとする。しかし、クリアキーの配置はこれに限定されるものではなく、如何なる形式であっても構わない。
【００５８】
さらに、入力されたキーが、ＯＫキー（１０７４の中央部）である場合は（Ｓ１５５でＯＫキー）、カーソルが表示されているサービス情報を取得する（Ｓ１７１）。具体的には、カーソルは表示されているサービスをチューナ（１０２）に選局させる（Ｓ１２０）。
【００５９】
上記実施形態では、番組視聴中に入力キー装置を操作することで番組名がポップアップ表示されるとしたが、番組視聴中に或いは番組選局後に、自動的に所定期間（例えば１分間など）、番組名をポップアップ表示するようにしても構わない。
【００６０】
上記実施形態では、番組視聴時の番組名がポップアップ表示されている間に入力キーを操作することで、その視聴中のサービスと番組名を対応させて図４に示すようなサービスリストに登録するように構成したが、番組視聴中に入力キー装置を操作することで番組名がポップアップ表示し、自動的にその視聴中のサービスと番組名を対応させて図４に示すようなサービスリストに登録するように構成しても構わない。或いは、定期的に番組情報をインターネットあるいは放送波から取得して保存し、番組視聴前に取得されている番組情報に基づいて視聴中のサービスと視聴時間から番組名を認識し、認識された番組名を視聴中のサービスと対応させて図４に示すようなサービスリストに登録するように構成しても構わない。
【００６１】
また、本実施形態では、図６のように、サービスリスト表示画面において、カーソルが置かれたサービス名に対して、番組名をポップアップ表示するように構成したが、表示されているサービスリストにおけるサービス名の代わりに番組名が表示されるようにしても構わない。
【００６２】
このように本発明は、上記実施形態に限定されるものではなく、特許請求の範囲に記載の技術思想にもとづくあらゆる形態を包含する。
【図面の簡単な説明】
【００６３】
【図１】本発明の実施形態のブロック図
【図２】本発明の実施形態における表示装置の画像表示例
【図３】本発明の実施形態における操作入力キーの一例
【図４】本発明の実施形態におけるサービスリスト
【図５】本発明の実施形態におけるサービスリスト表示例
【図６】本発明の実施形態におけるサービスリストにおける番組名の表示例
【図７】本発明の実施形態における番組視聴と番組名の表示例
【図８】本発明の実施形態における番組名の登録画面
【図９】本発明の実施形態のフローチャート１
【図１０】本発明の実施形態のフローチャート２
【図１１】本発明の実施形態のフローチャート３
【図１２】本発明の実施形態のフローチャート４
【図１３】本発明の実施形態のフローチャート５
【図１４】本発明の実施形態のフローチャート６
【符号の説明】
【００６４】
１              テレビ放送受信装置
１０１      アンテナ
１０２      チューナ
１０３      信号処理装置
１０４      スピーカ
１０５      制御装置
１０６      表示装置
１０７      キー入力装置
１０８      ＲＡＭ
１０９      ＮＶＲＡＭ
１１０      電池
１１１      充電制御
１１２      ＡＣアダプタ
１０６１  ピクトエリア
１０６２  テレビ画面領域
１０６３  ブラウザ表示領域
１０６４  ソフトキー機能表示領域
１０７１  ソフトキー
１０７２  ソフトキー
１０７３  ソフトキー
１０７４  十字キー
１０７５  ファンクションキー
１０７６  数字キー
【図１】
2006304134.tif 000003
【図２】
2006304134.tif 000004
【図３】
2006304134.tif 000005
【図４】
2006304134.tif 000006
【図５】
2006304134.tif 000007
【図６】
2006304134.tif 000008
【図７】
2006304134.tif 000009
【図８】
2006304134.tif 000010
【図９】
2006304134.tif 000011
【図１０】
2006304134.tif 000012
【図１１】
2006304134.tif 000013
【図１２】
2006304134.tif 000014
【図１３】
2006304134.tif 000015
【図１４】
2006304134.tif 000016